(57)【特許請求の範囲】
【請求項１】
建物躯体の開口部の開口面を化粧するとともに引戸を保持可能な化粧枠であって、
引戸をはめ込むために長手方向に沿って溝状に凹んだ引戸用溝を有するとともにこの引戸用溝を有する面の裏面側にフラットな平面状のフラット面を備えている枠本体と、
引戸用溝の深さを調整するために枠本体の引戸用溝の内部にはめ込まれる溝深さ調整部材とを備え、
前記枠本体は、建物躯体の開口部の開口面に固定される固定部材と、その固定部材の室内表面側に固定される表面部材とから構成され、
固定部材は、室内側に向かって突出する一対の凸部とその間で室内側に向かって切りかかれるとともに締結部材をねじ込み可能な締結用溝からなり締結部材を介して建物躯体に固定するための締結固定部を有し、
表面部材は、固定部材の室内側表面側であって少なくとも引戸の厚み方向の両端側に固定され、
前記溝深さ調整部材は、引戸用溝の内部を長手方向に沿って仕切るために、引戸用溝の内部の長手方向に沿って突出する仕切り部を備えるとともに、締結部材を隠すために締結固定部の室内側表面を覆い、前記表面部材の間に位置した状態で前記固定部材に固定されていることを特徴とする化粧枠。
【発明の詳細な説明】
【０００１】
【発明の属する技術分野】
この発明は、建物躯体の開口部の開口面を化粧するとともに引戸を案内可能な化粧枠に関する。
【０００２】
【先行技術】
図１２は、従来の化粧枠の縦断面図を示すものである。
この化粧枠110は、建物の内部の開口部190に配置された二枚の引違い戸160を案内するものである。具体的には、この化粧枠110は、建物内部の開口部190の上部の壁111の下端面を覆って、引違い戸160の上部を案内する長尺状の木質材からなる鴨居120と、建物内部の開口部190の下部に位置して、引違い戸160の下部を案内する長尺状の木質材からなる敷居150とを備えているものである。この化粧枠110は、二つの和室、いわゆる続き間の間に形成されているものであって、これらの床には、畳195が形成されている。
このように、この化粧枠110は、開口部190の上部に位置する鴨居120と、開口部190の下部に位置する敷居150とにより、二つの和室の間の引違い戸160を摺動可能に支持しているものである。
【０００３】
前記壁111は、特に図示しないが、四角枠及びその四角枠内を覆う面材からなる壁パネル140と、この壁パネル140の両面の表面を覆う表面部材130とから形成されている。前記鴨居120は、平板状の横材であって、その下面には、二枚の引違い戸160を案内するための下方に向かって凹状に開口する上案内溝170が形成されている。そして、前記敷居150は、同様に平板状の横材であって、その上面には、二枚の引違い戸160を案内するための上方に向かって凹状に開口する下案内溝180が形成されている。そして、この下案内溝180の深さは、上案内溝170の深さよりも浅くなるように形成されている。これは、引違い戸160の取り外しを容易なものにするとともに、上案内溝170から引違い戸160の上端が外れるのを抑えて、引違い戸160が倒れるのを防止するために設定されているものである。
【０００４】
一方、本願発明に関連のある技術として、ＰＣＴ ＪＰ９４／００３５１号（国際公開番号；ＷＯ９４／２０２８０号）に記載された「セルロース系微粉粒、木質様成形品および木質様製品」の技術について簡単に説明する。原料としてのセルロース材を粉砕して得た粉砕粉を磨砕処理して嵩比重を高めた粉粒とし、この粉粒の外周面に、該粉粒よりも小径でかつ硬い表面粒を固定させて固定粒とし、この固定粒に樹脂及び顔料を混合し、かつ溶融させ、その後または溶融と同時に押出成形または射出成形により所望形状に成形する。すると、天然の木の木目に極めて近い模様を表面に有し、しかも手触り感等の風合いも天然の木に近い木質様製品の製造方法及び木質様製品を提供することができる。
【０００５】
【発明が解決しようとする課題】
しかし、上記した従来の化粧枠110は、鴨居120用の上案内溝170と、敷居150用の下案内溝180との深さがそれぞれ異なるため、鴨居120及び敷居150の本体となる部分の幅や、長手方向の長さは同一にも拘わらず、共通部材として形成することができず、製造コストがかかる上に、現場施工における部材の保存や管理が手間であった。
【０００６】
そこで、請求項１記載の発明は、上記した従来の技術の有する問題点に鑑みてなされたものであり、その目的とするところは、溝の深さを調整可能にして、枠本体を鴨居と敷居とで共通に使用することができて、製造コストの低減を図ることができ、現場施工における部材の保存や管理を容易にすることができる化粧枠を提供しようとするものである。
さらに、この請求項１記載の発明は、枠本体として、固定部材及び表面部材の二部材からなり異なる材質のものを使用することができて、表面部材に高品位の材質のものを使用し、固定部材に低品位の材質のものを使用して、材料原価を低減させることができる化粧枠を提供しようとするものである。
【０００７】
これに加え、この請求項１記載の発明は、仕切りを形成することにより、複数の引戸を案内することができる化粧枠を提供しようとするものである。
これに加え、この請求項１記載の発明は、締結部材により簡単に建物躯体に固定することができ、この締結部材を室内側から見えないように隠すことができて、外観が良好な化粧枠を提供しようとするものである。
【０００８】
これに加え、この請求項１記載の発明は、枠本体を構成する部材を、上下を反転させてフラットな裏面側を室内側に向けることにより、室内側にフラットな面を形成可能な化粧枠を提供しようとするものである。
【０００９】
【００１０】
【００１１】
【課題を解決するための手段】
本発明は、上記した目的を達成するためのものである。
請求項１記載の発明は、建物躯体の開口部(12)の開口面を化粧するとともに引戸(11)を保持可能な化粧枠(10)であって、引戸(11)をはめ込むために長手方向に沿って溝状に凹んだ引戸用溝(30)を有するとともにこの引戸用溝(30)を有する面の裏面側にフラットな平面状のフラット面(74)を備えている枠本体(20)と、引戸用溝(30)の深さを調整するために枠本体(20)の引戸用溝(30)の内部にはめ込まれる溝深さ調整部材(40)とを備え、前記枠本体(20)は、建物躯体の開口部(12)の開口面に固定される固定部材(71)と、その固定部材(71)の室内表面側に固定される表面部材(72)とから構成され、固定部材(71)は、室内側に向かって突出する一対の凸部(61)とその間で室内側に向かって切りかかれるとともに締結部材(73)をねじ込み可能な締結用溝(62)からなり締結部材(73)を介して建物躯体に固定するための締結固定部(60)を有し、表面部材(72)は、固定部材(71)の室内側表面側であって少なくとも引戸(11)の厚み方向の両端側に固定され、前記溝深さ調整部材(40)は、引戸用溝(30)の内部を長手方向に沿って仕切るために、引戸用溝(30)の内部の長手方向に沿って突出する仕切り部(50)を備えるとともに、締結部材を隠すために締結固定部の室内側表面を覆い、前記表面部材(72)の間に位置した状態で前記固定部材(71)に固定されていることを特徴とする。
【００１２】
なお、ここで、溝深さ調整部材(40)は、引戸用溝(30)の内部にはめ込まれることにより、引戸用溝(30)の側面や、底面若しくは上面等の一部を形成して、引戸(11)を引戸用溝(30)に沿ってスライド可能な状態にすることができるものであって、引戸用溝(30)の溝の深さを調整することができるように設定されているもの含むものである。すなわち、引戸用溝(30)の底面若しくは上面側に溝深さ調整部材(40)の厚みが大なるものを埋め込むことにより、引戸用溝(30)の溝の深さを浅くすることができ、或いは、引戸用溝(30)の底面若しくは上面側に溝深さ調整部材(40)の厚みが小なるものを埋め込むことにより、引戸用溝(30)の溝の深さを深くすることができるものを含むものである。なお、溝深さ調整部材(40)は、引戸用溝(30)の側面のみ形成して、引戸用溝(30)の底面若しくは上面には、厚みを有するものを形成せずに、枠本体(20)の引戸用溝(30)の内面をそのまま使用するようなものも含む。
【００１３】
本発明によれば、溝深さ調整部材(40)を引戸用溝(30)の内部にはめ込むことにより、引戸用溝(30)の溝の深さを調整することができる。これにより、溝深さ調整部材(40)を用いて、引戸用溝(30)の溝の深さを深い状態にすると、化粧枠(10)を鴨居(13)として使用することができる。また、溝深さ調整部材(40)を用いて、引戸用溝(30)の溝の深さを浅い状態にすると、化粧枠(10)を敷居(14)として使用することができる。これにより、同一形状の枠本体(20)に溝深さ調整部材(40)を使用して、鴨居(13)と敷居(14)とのいずれにも使用することができ、使用する部材の共通化を図ることができる。すなわち、結果として製造コストの低減を図ることができる。また、共通した部材を使用することができるため、現場施工における部材の保存や、管理を容易なものにすることができる。
さらに、本発明によれば、枠本体(20)が、建物躯体に固定される固定部材(71)と、この固定部材(71)の室内側の表面に固定される表面部材(72)とから形成されている。すなわち、固定部材(71)は、その室内側の表面が表面部材(72)により覆われているため、固定部材(71)の表面が室内側から見えない。これにより、表面部材(72)の材質に表面外観が良好な高品位のものを使用し、一方、固定部材(71)の材質には、高品位の材質のものより表面外観はやや劣るが、材料の原価が高品位のものより安価な低品位の材質のものを使用することができる。したがって、表面の外観を良好に維持した状態で、材料原価を安くすることができる。
【００１４】
また、本発明によれば、溝深さ調整部材(40)の仕切り部(50)が、引戸用溝(30)の内部に長手方向に沿って突出している。これにより、引戸用溝(30)の内部を長手方向に沿って仕切ることとなり、複数の引戸(11)を引戸用溝(30)の内部に平行に配置させることができて、かかる複数の引戸(11)を、この仕切り部(50)に沿って摺動させることができる。すなわち、複数の引戸(11)を引戸用溝(30)に沿って案内することができる。
【００１５】
さらに、本発明によれば、枠本体(20)の締結固定部(60)が、一対の凸部(61)とその間で締結部材(73)をねじ込み可能な締結用溝(62)とからなり、締結部材(73)を介して枠本体(20)を建物躯体に固定している。その際、締結部材(73)を使用しているため、接着剤のみを用いて固定する場合と比較して、養生のための時間や専用治具が不要となり、現場施工における固定作業を容易なものにすることができる。そして、溝深さ調整部材(40)が、締結固定部(60)の室内側表面を覆って、枠本体(20)にはめ込まれている。このため、締結固定部(60)の表面に現れた締結部材(73)を室内側から見えないように隠すことができ、化粧枠(10)の外観を良好なものにすることができる。
【００１６】
また、本発明によれば、枠本体(20)の引戸用溝(30)を有する面の裏面側にフラットな平面状のフラット面(74)を備えている。このため、引戸用溝(30)を室内側に向けた場合には、フラット面(74)の全面が建物躯体の平滑面に当接し、フラット面(74)の全面で化粧枠(10)を支持することとなる。これにより、化粧枠(10)を敷居(14)に使用して、引戸(11)等の大きな荷重が化粧枠(10)の引戸用溝(30)の一部に集中的に加わっても、フラット面(74)の全面に荷重を均一に分散させることができて、応力が狭い面積に集中することを抑えることができ、化粧枠(10)の破損等を回避することができる。
【００１７】
そして、引戸用溝(30)を有する面の裏面側、すなわちフラット面(74)側を室内側に向けると、室内側にフラット面(74)のフラットな平面が現れることになる。これにより、引戸用溝(30)を有する化粧枠(10)と同一の部材を使用して、その室内側の表面に引戸用溝(30)等を形成していない、フラットな平面状の化粧枠(10)を形成することができる。
【００１８】
なお、ここで、化粧枠(10)の内部に引戸用溝(30)を形成しない場合とは、引戸(11)を建物躯体の開口部(12)の化粧枠(10)の外側に配置するような場合であって、引戸用溝(30)を化粧枠(10)の外側に隣接して形成し、化粧枠(10)の室内側の表面には、引戸用溝(30)等の凹凸となるようなものを全く形成せずにフラットな平面状に仕上げるようなものを含むものである。
【００１９】
【００２０】
【００２１】
【００２２】
【００２３】
【００２４】
【００２５】
【００２６】
【００２７】
【００２８】
【００２９】
【００３０】
【００３１】
【発明の実施の形態】
以下、本発明の実施の形態を図面に基づいて、更に詳しく説明する。
図１乃至図６は、本発明の一実施形態を示すものであり、図１は開口部に化粧枠を使用した状態の縦断面図、図２は化粧枠の固定部材の縦断面図、図３は化粧枠の表面部材の縦断面図、図４は溝深さ調整部材の縦断面図、図５はスライド部材の縦断面図、図６は畳寄せの縦断面図をそれぞれ示すものである。
【００３２】
まず、本実施形態の構成について説明する。
本実施形態に係る化粧枠10は、和室15と洋室16との間に形成された壁90の開口部12の開口面を化粧するとともに二枚の引戸11を保持可能なものである。そして、この化粧枠10は、開口部12の上部に固定されて引戸11の上端を案内する鴨居13と、開口部12の下部に固定されて引戸11の下端を案内する敷居14とを備えている。
前記壁90は、特に図示しないが四角枠状の枠材及びその枠を塞ぐ面材からなる壁パネル91と、この壁パネル91の和室15及び洋室16側のそれぞれの表面側に貼付された壁用表面部材92とから形成されている。なお、床材は、和室15側には畳17が形成され、洋室16側には木質合板からなるフローリング材18が形成されている。
【００３３】
前記化粧枠10は、引戸11をはめ込むために長手方向に沿って溝状に凹んだ引戸用溝30を有する枠本体20と、引戸用溝30の深さを調整するために枠本体20の引戸用溝30の内部にはめ込まれる溝深さ調整部材40とを備えている。
前記枠本体20は、建物躯体の開口部12の開口面の周囲に固定される固定部材71と、その固定部材71の室内表面側に固定される縦断面形状が略Ｆ字状の表面部材72とを備えている。そして、敷居14の洋室16側を除く枠本体20の側縁には、枠本体20の側面を化粧する側面部材86が固定されている。
【００３４】
具体的には、固定部材71は、全体形状が略平板状の平板状固定部材81であって、この平板状固定部材81は、締結部材73を介して建物躯体に固定するための締結固定部60と、引戸用溝30を形成する方の裏面側に位置してフラットな平面状のフラット面74と、前記表面部材72を係合するために室内側に向かって突出する係合突出部85と、前記側面部材86を化粧枠10の側面に固定するための側面係合部87とを備えている。
【００３５】
前記締結固定部60は、平板状固定部材81から室内側に向かって突出する二本の独立凸部61と、この独立凸部61の間に室内側に向かって切りかかれるとともに締結部材73をねじ込み可能な溝状の締結用溝62とを備えている。そして、前記独立凸部61の反締結用溝62側の側面表面と、前記係合突出部85の外側側面と、前記側面係合部87の室内側の表面とには、縦断面形状が鋸歯状の凹凸部88が形成されている。
また、締結固定部60の両側付近には、平板状固定部材81を長手方向に沿って折取って使用する場合に、折り取り作業を容易にするための縦断面形状がＶ字状のＶ溝89が長手方向に沿って形成されている。また、このＶ溝89は、締結部材73をこのＶ溝89の位置にねじ込む場合には、締結部材73の先端の位置決めをすることができるように設定されているものである。
【００３６】
前記表面部材72は、図３に示すように、平板状固定部材81の係合突出部85が係合可能な係合溝75と、側面部材86を係合するための側面係合部87とを備えている。そして、係合溝75の内面と、側面係合部87の表面とには、縦断面形状が鋸歯状の凹凸部88が形成されている。
前記側面部材87は、化粧枠10のうち鴨居13の両側面を覆うスライド部材84と、化粧枠10のうち敷居14の和室15側の側面に固定される畳寄せ83とを備えている。前記スライド部材84は、平板状固定部材81及び表面部材72の側面係合部87に固定されて、平板状固定部材81のフラット面74及び壁90の壁用表面部材92の下端面が当接する部分を覆うとともに、壁90の板厚方向にスライド可能に形成されているものである。なお、側面係合部87は、平板状固定部材81及び表面部材72により形成されるものであって、化粧枠10の側縁に壁90の板厚方向に向かって開口し、その内面には、縦断面形状が鋸歯状の凹凸を有する凹凸部88が形成されているものである。
前記スライド部材84は、側面係合部87にはめ込み可能に突出するスライド突出部93と、壁90の壁用表面部材92の表面に当接するため壁90に向かって延設された縦断面形状が略Ｌ字状のスライド当接部94とを備えている。そして、スライド突出部93の表面には、側面係合部87の内面と同様に、縦断面形状が鋸歯状に凹凸を有する凹凸部88が形成されている。
【００３７】
そして、スライド部材84は、スライド部材84の側面と、スライド部材84の下端面とからなる側面部材側角部95を有し、枠本体20は、表面部材72の端面と、表面部材72の下端面とからなる本体側角部96を有している。そして、化粧枠10には、かかる側面部材側角部95と、本体側角部96とを段差状に配置することにより化粧枠10の角部外観が良好な段差状角部97が形成されている。
【００３８】
前記畳寄せ83は、敷居14の表面部材72及び固定部材71の側面係合部87に係合するために横方向に突出する畳寄せ突出部98を備えている。この畳寄せ突出部98は、その上面及び下面に縦断面形状が鋸歯状の凹凸部88が形成されている。
前記溝深さ調整部材40は、鴨居13用の溝深さの深い引戸用溝30を形成するために、引戸用溝30の上面側に厚みを有しない縦断面形状がコ字状の鴨居用溝深さ調整部材41と、敷居14用の溝深さの浅い引戸用溝30を形成するために、引戸用溝30の底面側に厚みを有する敷居用溝深さ調整部材42とを備えている。そして、これらの溝深さ調整部材40の枠本体20側には、枠本体20の締結固定部60にはめ込み可能な凹溝43が形成され、この凹溝43の内面側には、締結固定部60の凹凸部88と噛み合うために、それと同様の形状の縦断面形状が鋸歯状の凹凸部88が形成されている。そして、各溝深さ調整部材40の室内側には、引戸用溝30の内部を長手方向に沿って仕切るために、引戸用溝30の内部の長手方向に沿って突出する仕切り部50が形成されている。そして、溝深さ調整部材40は、締結固定部60の締結部材73の操作頭部を隠すために締結固定部60の室内側表面を覆って、枠本体20にはめ込まれている。
【００３９】
そして、化粧枠10は、セルロース系材料の微粉末の表面にこの微粉末よりも小径で、かつ硬い微粉末を担持させて作成した粉体を混合した樹脂を着色成形することによって木目模様を呈するように形成されているものである。そして、化粧枠10は、上記材質のものを押出成形により得られる長尺状の押出成形品として形成されているものである。
【００４０】
次に、上記した一実施形態の作用及び効果について説明する。
本実施形態は、溝深さ調整部材40を引戸用溝30の内部にはめ込むことにより、引戸用溝30の溝の深さを調整することができる。すなわち、鴨居用溝深さ調整部材41を用いて、引戸用溝30の溝の深さを深い状態にすると、化粧枠10を鴨居13として使用することができる。また、敷居用溝深さ調整部材42を用いて、引戸用溝30の溝の深さを浅い状態にすると、化粧枠10を敷居14として使用することができる。これにより、同一形状の枠本体20に溝深さ調整部材40を使用して、鴨居13と敷居14とのいずれにも使用することができ、使用する部材の共通化を図ることができ、製造コストの低減を図ることができる。また、共通した部材を使用することができるため、現場施工における部材の保存や、管理を容易なものにすることができる。
【００４１】
そして、本実施形態において、溝深さ調整部材40の仕切り部50が、引戸用溝30の内部に長手方向に沿って突出している。これにより、引戸用溝30の内部を長手方向に沿って仕切ることとなり、二枚の引戸11を引戸用溝30の内部に平行に配置させることができて、かかる二枚の引戸11を、この仕切り部50に沿って摺動させることができる。すなわち、二枚の引戸11を引戸用溝30に沿って案内することができる。
【００４２】
そして、本実施形態では、枠本体20の締結固定部60が、締結部材73を介して枠本体20を建物躯体に固定している。その際、締結部材73を使用しているため、接着剤のみを用いて固定する場合と比較して、養生のための時間や専用治具が不要となり、現場施工における固定作業を容易なものにすることができる。そして、溝深さ調整部材40が、締結固定部60の室内側表面を覆って、枠本体20にはめ込まれているため、締結固定部60の表面に現れた締結部材73を室内側から見えないように隠すことができ、化粧枠10の外観を良好なものにすることができる。
【００４３】
また、この化粧枠10は、枠本体20の引戸用溝30を有する面の裏面側にフラットな平面状のフラット面74を備えている。このため、引戸用溝30を室内側に向けた場合には、フラット面74の全面が建物躯体の平滑面に当接し、フラット面74の全面で化粧枠10を支持することとなる。これにより、化粧枠10を敷居14に使用して、引戸11等の大きな荷重が化粧枠10の引戸用溝30の一部に集中的に加わっても、フラット面74の全面に荷重を均一に分散させることができて、荷重が狭い面積に集中することを抑えることができ、化粧枠10の破損等を回避することができる。
【００４４】
そして、本実施形態では、特に図示していないが、引戸用溝30を有する面の裏面側、すなわちフラット面74側を室内側に向けると、室内側にフラット面74のフラットな平面が現れることになる。これにより、引戸用溝30を有する化粧枠10と同一の部材を使用して、その室内側の表面に引戸用溝30等を形成していない、フラットな平面状の化粧枠10を形成することができる。
【００４５】
そして、本実施形態に係る化粧枠10は、枠本体20が、建物躯体に固定される固定部材71と、この固定部材71の室内側の表面に固定される表面部材72とから形成されている。すなわち、固定部材71は、その室内側の表面が表面部材72により覆われているため、固定部材71の表面が室内側から見えない。これにより、表面部材72の材質に表面外観が良好な高品位のものを使用し、一方、固定部材71の材質には、高品位の材質のものより表面外観はやや劣るが、材料の原価が高品位のものより安価な低品位の材質のものを使用することができる。
ここでは、固定部材71の材質は、高品位の材質のものを一度、原料として製品に使用した後、かかる製品を回収して材料を粉砕、回収したリサイクル材を使用している。したがって、表面の外観を高品位の材質のもので良好に維持した状態で、それに隠れる固定部材71はリサイクル材を使用して材料原価を安くすることができる。
【００４６】
そして、本実施形態は、スライド部材84が、枠本体20の側面係合部87に固定されて、枠本体20の上面と壁用表面部材92の下端面とが当接する部分を覆っている。このため、枠本体20の上面と壁用表面部材92の下端面とが当接する部分を室内側から見えないように隠すことができる。これにより、建物躯体の壁90の壁用表面部材92の下端面と、化粧枠10の上面との間に隙間が発生しないように特別に考慮する必要もなく、取付作業を容易にすることができる。
【００４７】
また、スライド部材84は、枠本体20の側面係合部87の内部を壁90の板厚方向にスライド可能に形成されている。すなわち、枠本体20の側面係合部87の内部にスライド部材84のスライド突出部93を進退させると、側面係合部87の凹凸部88とスライド突出部93の凹凸部88とが、凹凸部88が形成されている範囲内においては、いずれの位置においても、両者を噛み合わせて固定させることができる。そして、スライド部材84には、壁用表面部材92に向かって延設されたスライド当接部94が形成されている。
このため、壁90の厚さが、寸法誤差により、また、種類により異なっても、スライド部材84のスライド突出部93を側面係合部87の内部に沿ってスライドさせて、スライド当接部94を壁用表面部材92の表面に当接させることができる。これにより、壁90の厚さが異なるものにも、スライド部材84と壁用表面部材92との間に隙間を発生させることなく、鴨居13を形成することができ、現場施工において、簡単に壁90の厚みの変化に対応することができる。
【００４８】
また、本実施形態は、鴨居13の角部に、枠本体20の本体側角部96と、スライド部材84の側面部材側角部95とを段差状に配置し、段差状角部97を形成している。このため、鴨居13の両縁の下側角部に、本体側角部96及び側面部材側角部95の二つの角部が、平行に形成される。これにより、鴨居13の角部に直線を基調とした外観デザインを表出させることができ、化粧枠10の外観を良好なものにすることができる。また、この段差状角部97は、本体側角部96と、側面部材側角部95とが段差状にずらして固定されているため、枠本体20と、スライド部材84との形状の寸法誤差や取付位置に少々ずれが生じていても、両者の角部同士を面一に合わせて固定するような場合と比較して、寸法誤差や、取付位置のずれが目立ち難くすることができる。
【００４９】
そして、本実施形態は、図７に示すように、独立凸部61の間の締結用溝62に、締結部材73をねじ込むことにより、締結部材73が締結用溝62の幅を押し拡げて、締結部材73がねじ込まれた部分の独立凸部61を左右に拡開させることができる。そして、独立凸部61を左右に拡開させることにより、この独立凸部61の凹凸部88を凹溝43の凹凸部88に強く押し当てることができ、両者の摩擦抵抗を大きなものにすることができ、両者が外れるのを防止することができる。これにより、凹溝43に締結固定部60を確実且つ強固にはめ込むことができ、枠本体20に溝深さ調整部材40を確実且つ強固に係合させることができる。
【００５０】
また、締結部材73は、周囲に螺旋状の溝を有するねじが使用されている。この締結部材73を回転操作することにより、締結用溝62の内部を進退させることができる。そして、この締結部材73を締結用溝62の内部に深く進める程、締結用溝62の内面を左右に押し拡げることができ、独立凸部61の左右への拡開量を自由に調整することができる。これにより、凹溝43と締結固定部60との間に発生する摩擦抵抗力を適当なものに調整することができて、溝深さ調整部材40と枠本体20との係合をさらに、確実且つ強固なものにすることができる。
【００５１】
そして、締結固定部60は、通常のＶ溝等と比べて縦方向に深い締結用溝62が形成されている。このため、現場施工において、締結部材73の先端を締結用溝62に押し当ててねじ込む際に、締結部材73の先端が外れて、周囲の部材を傷つけたりすることがなく、締結部材73の挿入を容易且つスムーズに行うことができる。これにより、現場施工を容易にすることができる。
【００５２】
そして、凹溝43の内面及び締結固定部60の外面には、嵌合可能な鋸歯状の鋸歯状凹凸部80が形成されている。このため、凹溝43の内部に締結固定部60を差し込むと、その鋸歯状凹凸部80が形成されている領域においては、いずれの位置でも、両者を嵌合させることができる。これにより、係合部材10や被係合部材20に寸法誤差を有しているような場合でも、凹溝43の内部の締結固定部60のはめ込み位置を適当に調整することにより対応することができる。
そして、化粧枠10は、上述したような材質からなるため、その表面に木目模様を出すことができる。また、木質材料では原料となる天然木材の違いや、含有水分の違い等による品質のバラツキが発生するが上述したような材質からなる化粧枠10ではそのようなことがなく、製品のバラツキを抑えることができる。すなわち、上述した材料を用いて成形した成形品は、複雑な断面形状をなしていても木目模様を呈するので、室内の他の表面部材に木質材、またはそれに変わる木質感のあるものを使用した場合に、外観デザインを調和させる意味で、使用するのに適している。換言すれば、天然の木材を切削加工したのでは手間がかかるような断面形状の部材であっても、木目模様を呈する成形品として提供することができる。
【００５３】
そして、「粉体を混合した樹脂」からなるため、通常の木質材料よりも水分を吸収し難く、仮に水分が付着しても水分を拭き取れば済み、メンテナンスを容易にすることができるものである。すなわち、手垢等の汚れがこの化粧材の表面に付着しても濡れ雑巾で掃除することができ、汚れを除去した後、水分をふき取れば良いものである。これにより、外観上は木目模様を呈することができて木製品と同様の外観を形成することができるが、耐水性に関しては木製品と比較してはるかに水に強い化粧枠10を提供できるものである。
【００５４】
そして、上述した顔料を使用して、樹脂自体を着色しているため、表面のみではなく、内部にまで木目模様を呈するように形成しているため、化粧枠10の表面が、これらの周辺の周辺部材と繰り返し接触して磨耗しても表面の木目模様が消えることがなく、良好な木目模様の外観を維持することができる。
次に、本発明の一実施形態で用いた溝深さ調整部材40を、本発明とは異なる構造をもつ枠本体20に固定している化粧枠の参考例を説明する。
【００５５】
図８及び図９は、参考例としての化粧枠を示すものであって、図８は開口部に化粧枠を使用した状態の縦断面図、図９は枠本体の縦断面図をそれぞれ示す。
この参考例での化粧枠10は、和室15と押入19との間に形成された壁90の開口部12の開口面を化粧するとともに二枚の引戸11を保持可能なものである。そして、この化粧枠10は、開口部12の上部に固定されて引戸11の上端を案内する鴨居13と、開口部12の下部に固定されて引戸11の下端を案内する敷居14とを備えている。なお、床材は、和室15側には畳17が形成され、押入19側には木質からなる押入19の床面が形成されている。
【００５６】
そして、化粧枠10は、上述した一実施形態とほぼ同様に、引戸11をはめ込むために長手方向に沿って溝状に凹んだ引戸用溝30を有する枠本体20と、引戸用溝30の深さを調整するために枠本体20の引戸用溝30の内部にはめ込まれる溝深さ調整部材40とを備えている。
そして、この参考例においては、前記枠本体20が、壁90の端面の半分程度の幅を覆うものであって、縦断面形状が略コ字状のコ字状枠本体21のみから形成されている点に特徴を有するものである。そして、このコ字状枠本体21の洋室16側の側縁には、側面部材86が固定されている。
【００５７】
前記コ字状枠本体21は、図８に示すように、引戸11を案内するための溝状の引戸用溝30と、締結部材73を介して建物躯体に固定するための締結固定部60と、引戸用溝30を形成する方の裏面側にフラットな平面状のフラット面74と、和室15側の側縁に位置して、側面部材86を化粧枠10の側面に固定するための側面係合部87と、締結固定部60の両側近辺に位置して、締結部材73をねじ込む場合には、締結部材73の先端の位置決め用の溝となり、また、折り取り用の折溝にもなる縦断面形状がＶ字状のＶ溝89とを備えている。
そして、化粧枠10のうち鴨居13側のコ字状枠本体21の和室15側の側面には、上述した一実施形態で使用したものと同様なスライド部材84がスライド可能に取り付けられている。そして、化粧枠10のうち敷居14側のコ字状枠本体21の和室15側の側面には、上述した一実施形態で使用したものと同様な畳寄せ83が取り付けられている。
【００５８】
なお、この参考例での化粧枠10は、樹脂と微粒子の木粉とを主材とする組成物より形成されている。
その他の構成は、上述した一実施形態とほぼ同様であって、同様の部材には、同一の部品番号を付与して説明を省略する。
次に、このような参考例での作用及び効果について説明する。
【００５９】
この参考例での化粧枠10においても、上述した一実施形態とほぼ同様の作用及び効果を奏するものであって、溝深さ調整部材40を引戸用溝30の内部にはめ込むことにより、引戸用溝30の溝の深さを調整することができる。これにより、この参考例のような和室15と押入19との間の開口部12に形成される化粧枠10においても、同一形状の枠本体20に溝深さ調整部材40を使用して、鴨居13と敷居14とのいずれにも使用することができ、使用する部材の共通化を図ることができ、製造コストの低減を図ることができる。また、共通した部材を使用することができるため、現場施工における部材の保存や、管理を容易なものにすることができる。
【００６０】
この参考例では、化粧枠10に木粉が含まれているため、化粧枠10の表面を手で触った感触が、木質感のあるものとなり、樹脂や塩化ビニル等の表面のツルッとした感触がなく、手にしっくりとなじむ良好な手触り感を得ることができる。また、化粧枠10は、上述した材料から形成され、樹脂を有しているため、木質材と比較して、吸水性が小さく、吸湿による収縮も発生しない。これにより、木質材と比較して、反り難く、ねじれ難く、また、腐り難いという材料としての均一性に優れたものにすることができる。
【００６１】
次に、本発明の一実施形態で用いた枠本体20を構成する固定部材81の一部を用いることにより、本発明とは異なる構造をもつ化粧枠の他の参考例を説明する。
図１０及び図１１は、他の参考例としての化粧枠を示すものであって、図１０は開口部に化粧枠を使用した状態の縦断面図、図１１は枠本体の縦断面図をそれぞれ示すものである。
この他の参考例での化粧枠10は、和室15と洋室16との間に形成された壁90の開口部12の開口面を化粧するとともに一枚の引戸11を保持可能なものである。そして、この化粧枠10は、開口部12の上部に固定されて引戸11の上端を案内する鴨居13と、開口部12の下部に固定されて引戸11の下端を案内する敷居14とを備えている。
【００６２】
そして、化粧枠10は、引戸11をはめ込むために長手方向に沿って溝状に凹んだ引戸用溝30を有する枠本体20と、引戸用溝30の深さを調整するために枠本体20の引戸用溝30の内部にはめ込まれる溝深さ調整部材40とを備えている。そして、この枠本体20の和室15側の側面には、化粧枠10の側面を覆う側面部材86が取り付けられている。
【００６３】
具体的には、前記枠本体20は、一枚の引戸11を案内するための一本の引戸用溝30と、この引戸用溝30の反対側の側縁に側面部材86を取付可能な側面係合部87とを有する一本溝用枠本体22である。そして、鴨居13には、一本溝用枠本体22の和室15側に側面部材86であるスライド部材84が固定されている。そして、敷居14には、この一本溝用枠本体22の和室15側に固定された畳寄せ83が固定され、また、敷居14の引戸用溝30の内部には縦断面形状が略コ字状のコ字状溝深さ調整部材44がはめ込まれている。また、敷居14の一本溝用枠本体22の引戸用溝30には、上方から締結部材73がねじ込まれて、一本溝用枠本体22を床に固定している。
なお、開口部12の下面の敷居14を形成していない部分には、上述した一実施形態で使用した平板状固定部材81（図２）のほぼ右半分をＶ溝89（図２）から折り取り、その残りのほぼ左半分のフラット面74を上に向けて、床面側に設置している。もちろん、開口部12の幅が広い場合には、上述した一実施形態で使用した平板状固定部材81を折取ることなく、そのままフラット面74を上に向けて室内側にフラットな平面を形成することができるものである。
このように、上述した一実施形態で使用した平板状固定部材81と同一の部材を使用して、その室内側の表面に引戸用溝30等を形成していない、フラットな平面状の化粧枠10を形成することができる。
【００６４】
その他の構成は、上述した一実施形態とほぼ同様であって、同様の部材には、同一の部品番号を付与して説明を省略する。
次に、上記した他の参考例での作用及び効果について説明する。
この他の参考例での化粧枠10においても、上述した一実施形態とほぼ同様の作用及び効果を奏するものであって、コ字状溝深さ調整部材44を引戸用溝30の内部にはめ込むことにより、引戸用溝30の溝の深さを調整することができる。これにより、この他の参考例のような一枚の引戸11を案内可能な化粧枠10においても、同一形状の枠本体20にコ字状溝深さ調整部材44を使用して、鴨居13と敷居14とのいずれにも使用することができ、使用する部材の共通化を図ることができ、製造コストの低減を図ることができる。また、共通した部材を使用することができるため、現場施工における部材の保存や、管理を容易なものにすることができる。
【００６５】
なお、上述した一実施形態等での化粧枠10の材質は、上述したような材質のものを使用しているが、化粧枠10の材質を、上記の各参考例での化粧枠10の材質で形成することもできるものである。さらに、上述した化粧枠10の材質は、木粉等を混入しない樹脂のみから形成されているものでも良いものである。
【００６６】
【発明の効果】
本発明は、以上のように構成されているので、以下に記載されるような効果を奏する。
請求項１記載の発明によれば、溝の深さを調整可能にして、枠本体を鴨居と敷居とで共通に使用することができて、製造コストの低減を図ることができ、現場施工における部材の保存や管理を容易にすることができる化粧枠を提供することができる。
さらに、この請求項１記載の発明によれば、固定部材及び表面部材の二部材からなり異なる材質のものを使用することができて、表面部材に高品位の材質のものを使用し、固定部材に低品位の材質のものを使用して、材料原価を低減させることができる化粧枠を提供することができる。
【００６７】
また、この請求項１記載の発明によれば、仕切りを形成することにより、複数の引戸を案内することができる化粧枠を提供することができる。
さらに、この請求項１記載の発明によれば、締結部材により簡単に建物躯体に固定することができ、この締結部材を室内側から見えないように隠すことができて、外観が良好な化粧枠を提供することができる。
【００６８】
また、この請求項１記載の発明によれば、上下を反転させてフラットな裏面側を室内側に向けることにより、室内側にフラットな面を形成可能な化粧枠を提供することができる。
【００６９】
【００７０】
【図面の簡単な説明】
【図１】  本発明の一実施形態であって、開口部に化粧枠を使用した状態を示す縦断面図である。
【図２】  本発明の一実施形態であって、化粧枠の固定部材を示す縦断面図である。
【図３】  本発明の一実施形態であって、化粧枠の表面部材を示す縦断面図である。
【図４】  本発明の一実施形態であって、溝深さ調整部材を示す縦断面図である。
【図５】  本発明の一実施形態であって、スライド部材を示す縦断面図である。
【図６】  本発明の一実施形態であって、畳寄せを示す縦断面図である。
【図７】  本発明の一実施形態であって、締結固定部に締結部材をねじ込んだ状態を示す概略斜視図である。
【図８】  図１等で用いた溝深さ調整部材を、本発明とは異なる構造をもつ枠本体に固定している化粧枠の参考例を示すものであって、開口部に化粧枠を使用した状態を示す縦断面図である。
【図９】  図８で用いている枠本体を示す縦断面図である。
【図１０】  図１等で用いた枠本体を構成する固定部材の一部を用いることにより、本発明とは異なる構造をもつ化粧枠の他の参考例を示すものであって、開口部に化粧枠を使用した状態を示す縦断面図である。
【図１１】  図１０で用いている枠本体を示す縦断面図である。
【図１２】  従来の化粧枠を示す縦断面図である
【符号の説明】
10…化粧枠、11…引戸、12…開口部、13…鴨居、14…敷居、15…和室、16…洋室、17…畳、18…フローリング材、19…押入、20…枠本体、21…コ字状枠本体、22…一本溝用枠本体、30…引戸用溝、40…溝深さ調整部材、41…鴨居用溝深さ調整部材、42…敷居用溝深さ調整部材、43…凹溝、44…コ字状溝深さ調整部材、50…仕切り部、60…締結固定部、61…独立凸部、62…締結用溝、71…固定部材、72…表面部材、73…締結部材、74…フラット面、75…係合溝、81…平板状固定部材、83…畳寄せ、84…スライド部材、85…係合突出部、86…側面部材、87…側面係合部、88…凹凸部、89…Ｖ溝、90…壁、91…壁パネル、92…壁用表面部材、93…スライド突出部、94…スライド当接部、95…側面部材側角部、96…本体側角部、97…段差状角部、98…畳寄せ突出部、110…化粧枠、111…壁、120…鴨居、130…表面部材、140…壁パネル、150…敷居、160…引違い戸、170…上案内溝、180…下案内溝、190…開口部、195…畳。
【図１】
0003844150.tif 000002
【図２】
0003844150.tif 000003
【図３】
0003844150.tif 000004
【図４】
0003844150.tif 000005
【図５】
0003844150.tif 000006
【図６】
0003844150.tif 000007
【図７】
0003844150.tif 000008
【図８】
0003844150.tif 000009
【図９】
0003844150.tif 000010
【図１０】
0003844150.tif 000011
【図１１】
0003844150.tif 000012
【図１２】
0003844150.tif 000013